(57)【特許請求の範囲】
【請求項１】
被取付ボード（２）を挟んで対称配置で一対のプレート（５，６）を取り付けるために互いに係合可能な雄部材（７）と雌部材（８）とを備えた組プレートの取付装置であって、
前記雄部材（７）と雌部材（８）とは、相互接近方向へ押し込むことで離反不可能状態に係合しいずれか一方の部材を回動させることで上記係合を解除して離反可能とされており、該雄部材（７）と雌部材（８）の内、何れか一方の部材は一方のプレート（５）に設けられ、他方の部材は他方のプレート（６）に開設された装着孔（２８）に回動自在に挿通され、
該装着孔（２８）には、前記一方の部材に離反不可能状態に係合する他方の部材を前記一方のプレート（５）から遠ざかる方向に付勢し、且つ、前記被取付ボード（２）の肉厚寸法の変化に対して前記一対のプレート（５，６）を追従させるバネ（５２）が配備されていることを特徴とする組プレートの取付装置。
【請求項２】
前記雄部材（７）は、雌部材（８）へ向けて突出する本体軸部（１２）と、該本体軸部（１２）の突端部からその軸心に直交する向きで相反方向へ張り出す一対の外爪部（１３）と、前記本体軸部（１２）から見て一対の外爪部（１３）の奥側に形成されたクビレ形状を伴った係合段部（１４）とを有し、前記一対の外爪部（１３）よりも更に軸方向先端側は先細り状に形成されており、
前記雌部材（８）は、雄部材（７）へ向けて二股状態で突出する本体軸部（２０）と、該本体軸部（２０）の突端部で相対向して張り出す返し爪状の一対の内爪部（２１）と、前記本体軸部（２０）から見て前記一対の内爪部（１３）の奥側に形成されたクビレ形状を伴った係合段部（２３）とを有していることを特徴とする請求項１記載の組プレートの取付装置。
【請求項３】
前記雄部材（７）の外爪部（１３）又は雌部材（８）の内爪部（２１）の少なくとも一方が、軸方向に複数設けられており、両部材（７，８）相互の係合量を調節可能になっていることを特徴とする請求項２記載の組プレートの取付装置。
【請求項４】
前記他方の部材は、前記本体軸部の基端部に該本体軸部よりも径大に形成された回動操作部を備え、
前記装着孔（２８）は、前記他方の部材の回動操作部を回動自在に収容した状態で、該回動操作部を軸方向移動自在に保持する大径孔部（５０）と、前記他方の部材の本体軸部を回動自在で軸方向移動自在に保持する小径孔部（５１）とを有した段付き孔となっており、
前記バネ（５２）は、前記装着孔（２８）に挿通された前記他方の部材の本体軸部に外挿されると共に、装着孔（２８）の小径孔部（５１）と他方の部材の回動操作部に狭持可能とされて前記装着孔（２８）の大径孔部（５０）に収容されていることを特徴とする請求項２又は請求項３に記載の組プレートの取付装置。
【請求項５】
前記プレート（５，６）が、ドアハンドル（３）の取付座であることを特徴とする請求項１乃至請求項４のいずれかに記載の組プレートの取付装置。
【発明の詳細な説明】
【０００１】
【発明の属する技術分野】
本発明は、組プレートの取付装置に関するものである。
【０００２】
【従来の技術】
ドアに設けられるドアハンドルには、その根本まわりのドア面を覆うように取付座を付設する。そしてこの取付座は、ドアの表裏両側に対称配置で２枚１組として取り付けることになる（例えば特開２０００−１４５２１４号公報、特開平９−２５０２５８号公報、特開平７−３１０４６５号公報等参照）。
なお、この取付座は、ドアハンドルを含めた錠装置の取り付けに実質的に使用されるものもあれば、もっぱら化粧材或いはカバー材としての作用で使用されるものもある。
【０００３】
このような２枚１組の取付座として使用される組プレート（以下、取付座を「プレート」とおき、ドアを「被取付ボード」とおいて説明する）において、被取付ボードを介した両側で一対のプレートを結合するには、一方のプレートから他方のプレートへネジを差し込み螺合する構造（上記特開２０００−１４５２１４号公報等）とか、一方のプレートに軸を突出させ他方のプレートに筒を突出させて軸と筒とを圧入止め（摩擦止め）状態にさせる構造（上記特開平９−２５０２５８号公報、特開平７−３１０４６５号公報等）とかが主流になっている。
【０００４】
【発明が解決しようとする課題】
被取付ボードには種々様々な肉厚のものがある。
そのため組プレートとしては、プレート相互の結合構造としてネジを用いるものであればネジ長さの異なるセットを複数種、準備しておく必要があるし、また軸と筒とによる圧入構造を採用したものでは、軸や筒の長さが異なるセットを複数種、準備しておく必要がある。
従って、製造、流通、管理、販売等に関して煩雑となり、あらゆる意味で高コスト化を招来するものであった。
【０００５】
また、被取付ボードが木製である場合、その肉厚寸法には誤差として±１ｍｍ程度は生じているものであるし、そのうえ温度や湿度の影響で、肉厚方向への膨張や収縮も起こる。
これに対して、プレート相互の結合状態は、上記したいずれの構造を採用するにしても遊びのない状態に結合するものとなっているため、経年的に、被取付ボードに肉厚方向の膨張・収縮が生じた場合には、被取付ボードに対してプレートの取付状態にガタが発生したり、例えばネジの締め込み位置まわりに小さなクラックが発生したりすることがあった。
【０００６】
更に、プレート相互の結合構造としてネジを用いるものであれば、ネジの締め込みが面倒であるということがあるし、また軸と筒とによる圧入構造を採用したものでは、被取付ボードに対して設ける軸及び筒用の挿通孔を筒外径にピッタリと一致した孔径にしなければならないため、被取付ボードに対する高精度な加工を要求され、やはり手間になるということがあった。
すなわち、被取付ボードに対するプレートの取り付けが面倒で、この点でも高コスト化を招来するということがあった。
【０００７】
本発明は、上記事情に鑑みてなされたものであって、被取付ボードの肉厚寸法に対してある程度の汎用性を持たせられるものとして低コスト化等を図り、また被取付ボードにおける肉厚方向の膨張や収縮にも追従できるものとして、殊にプレートにおける長寿命化等を図り、更に被取付ボードに対する取付容易性を図れるようにした組プレートの取付装置を提供することを目的とする。
【０００８】
【課題を解決するための手段】
前記目的を達成するために、本発明は次の手段を講じた。
即ち、被取付ボードを挟んで対称配置で一対のプレートを取り付けるために互いに係合可能な雄部材と雌部材とを備えた組プレートの取付装置であって、
前記雄部材と雌部材とは、相互接近方向へ押し込むことで離反不可能状態に係合しいずれか一方の部材を回動させることで上記係合を解除して離反可能とされており、該雄部材と雌部材の内、何れか一方の部材は一方のプレートに設けられ、他方の部材は他方のプレートに開設された装着孔に回動自在に挿通され、
該装着孔には、前記一方の部材に離反不可能状態に係合する他方の部材を前記一方のプレートから遠ざかる方向に付勢し、且つ、前記被取付ボードの肉厚寸法の変化に対して前記一対のプレートを追従させるバネが配備されていることを特徴としている。
【０００９】
このような構成であると、雄部材を有したプレートと、雌部材を有したプレートとを対向接近させ、雄部材と雌部材とを互いに突き合わせるようにするだけでこれら両部材を係合できるものであるので、互いの結合がいとも簡単に行える。
従って、雄部材と雌部材とを結合させる部分に貫通孔を有する被取付ボードに対し、その表裏両側からプレートを被取付ボードに対して押しつけるようにするだけで、両プレートの取り付けができるものである。
また、被取付ボードからプレートを外す必要（両プレートの結合を解除する必要）が生じた場合には、雄部材又は雌部材の少なくとも一方を、例えば９０°程度回動させれば、これら雄部材と雌部材との結合状態は解除されるようになっているので、被取付ボードからのプレートの取り外しも極めて簡単である。
【００１０】
また、雄部材又は雌部材の内の前記他方の部材となる部材が相手側部材へ向けて進退自在に保持されていると共に、この他方の部材は、相手側部材に対して被取付ボードを介して係合し得る位置を含んでそこから遠ざかる方向へ向けてバネの弾性力により付勢されているため、被取付ボードが肉厚方向において膨張や収縮を起こすようなことがあっても、両プレートの結合間隔もこれに柔軟に追従することになる。
従って、被取付ボードに対してプレートの取付状態にガタが発生したり、クラックが発生したりすることはない。
【００１１】
また、取付ボードの肉厚寸法に対してある程度の汎用性を持たせることができる。
また、前記雄部材は、雌部材へ向けて突出する本体軸部と、該本体軸部の突端部からその軸心に直交する向きで相反方向へ張り出す一対の外爪部と、前記本体軸部から見て一対の外爪部の奥側に形成されたクビレ形状を伴った係合段部とを有し、前記一対の外爪部よりも更に軸方向先端側は先細り状に形成されていることが好ましい。
【００１２】
これに対して雌部材は、雄部材へ向けて二股状態で突出する本体軸部と、該本体軸部の突端部で相対向して張り出す返し爪状の一対の内爪部と、前記本体軸部から見て前記一対の内爪部の奥側に形成されたクビレ形状を伴った係合段部とを有していることが好ましい。
また、雄部材の外爪部又は雌部材の内爪部の少なくとも一方を、軸方向に複数設けられたものとしておくと、両部材相互の係合量を調節可能になる。
このような構成を付加することで、取付ボードの肉厚寸法に対してある程度の汎用性を持たせることができる。
【００１３】
また、前記他方の部材は、前記本体軸部の基端部に該本体軸部よりも径大に形成された回動操作部を備え、
前記装着孔は、前記他方の部材の回動操作部を回動自在に収容した状態で、該回動操作部を軸方向移動自在に保持する大径孔部と、前記他方の部材の本体軸部を回動自在で軸方向移動自在に保持する小径孔部とを有した段付き孔となっており、
前記バネは、前記装着孔に挿通された前記他方の部材の本体軸部に外挿されると共に、装着孔の小径孔部と他方の部材の回動操作部に狭持可能とされて前記装着孔の大径孔部に収容されていることが好ましい。
【００１４】
言うまでもなく、プレートは、ドアハンドルの取付座として採用することができる。この場合、引き戸装置にも適用できる。
【００１５】
【発明の実施の形態】
以下、本発明の実施の形態を、図面に基づき説明する。
図１乃至図１０は、本発明に係る組プレート取付装置１の第１実施形態を示している。
図１及び図２に示すように、本第１実施形態の組プレート取付装置１は、揺動開閉するドア等の被取付ボード２に対して、その開閉用のドアハンドル３を取り付けるための取付座として設けられたものを示している。
【００１６】
この組プレート取付装置１は、被取付ボード２を挟んで対称配置で取り付けられる一対のプレート５，６に対し、その一方のプレート５に設けられる雄部材７と、他方のプレート６に設けられる雌部材８とを有している。
図３及び図４に示すように、雄部材７は、雌部材８へ向けて突出する本体軸部１２と、この本体軸部１２の突端部からその軸心に直交する向きで相反方向へ張り出す一対の外爪部１３とを有している。また、これら両外爪部１３よりも更に軸方向先端側は先細り状に形成されている。
【００１７】
すなわち、この雄部材７を平面視すると（図３とおく）、その突端部は恰もヤジリ先端型を呈している状態にあり、その突端側（図３右側）から見て上記外爪部１３の奥側（図３左側）にはクビレ形状を伴った係合段部１４が形成され、この係合段部１４の奥側（即ち、クビレ部分）に首部１５が形成されていることになる。
また、この雄部材７を側面視（図４）した場合、上記の首部１５も先細り先端も外形輪郭としては現れておらず、それらの相当部分の両側面（図４では上下面になる）はストレートになっている。
【００１８】
一方、図５及び図６に示すように、雌部材８は、雄部材７へ向けて二股状態で突出する本体軸部２０と、この本体軸部２０の突端部で相対向して張り出す一対の内爪部２１と、本体軸部２０の基端部に設けられた回動操作部２２とを有している。
すなわち、この雌部材８を平面視すると（図５とおく）、各内爪部２１は返し爪状を呈しており、その突端側（図５左側）から見て上記内爪部１３の奥側（図５右側）にはクビレ形状を伴った係合段部２３が形成されていることになる。
【００１９】
勿論、両内爪部２１の相互間（股間）は上下方向に貫通しており、この雌部材８の両側面はストレートになっている。
この内爪部２１が形成された部分の対向間隔は、雄部材７における首部１５の太さと同等又はそれ以下に形成されており、且つ、これら両内爪部２１は、互いの対向間隔を拡縮する方向で若干の弾性変形が可能になっている。
また、この雌部材８において突端から股間までの軸方向深さは、この股間部分へ雄部材７を挿入したときに、雄部材７の係合段部１４と雌部材８の係合段部２３とを合致させたうえで雄部材７のそれより突端側を収容できる寸法とされている。
【００２０】
このようなことから、雄部材７と雌部材８とをそれらの軸方向を一致させつつ相互接近方向へ押し込むと、雄部材７の各外爪部１３が雌部材８の両内爪部２１に対してその股間を押し開くように擦過し、やがて雄部材７の係合段部１４と雌部材８の係合段部２３とが合致する位置で雌部材８の内爪部２１がもとの相互間隔に弾性復帰することになり、結果として、両側の内爪部２１が両側の外爪部１３を抱き込むようなかたちで係合可能となる（図２参照）。
そして、一旦、この係合状態となった後は、雄部材７と雌部材８とはそれらの軸方向に沿って離反させようとしても、離反不可能な状態に係合することになる。
【００２１】
この雌部材８において本体軸部２０には止め輪２５（図２にのみ示す）を嵌め付けるための嵌着溝２６が設けられており、少なくともこの嵌着溝２６よりも回動操作部２２側は、プレート６に設けられた装着孔２８を突き抜けた状態で回動自在にするための回動支持部３０として、断面円形に形成されている。
すなわち、この雌部材８はプレート６に対して回動自在になっている。
そして、嵌着溝２６に嵌め付けられる止め輪２５は、装着孔２８からこの雌部材８が脱出するのを阻止するための抜け止め輪として作用することになる。
【００２２】
なお、本発明においては、前記止め輪２５に限定されるものではない。
回動操作部２２は、本体軸部２０の回動支持部３０より一回り径大に形成されており、この回動操作部２２の後端面（図５及び図６の右側端面）には、その径方向へ通り抜ける溝型をした工具係合凹部３１が形成されている。
この工具係合凹部３１は、マイナスドライバー等の工具（図示略）の差し込みを可能にしたもので、この雌部材８の回動時に、工具によって容易に操作できるようにしてある。
【００２３】
なお、この工具係合凹部３１は、十文字状の凹部としたり六角形や四角形の凹部としたり、或いは六角形や四角形の凸部としたりして、それらに適合する工具を特定するようにしてもよいが、図示したような溝型であれば、硬貨等を用いて雌部材８を回動させることもできるようになり、好適な例であるといえる。
このようなことから明らかなように、雌部材８が雄部材７と係合している状態（図２参照）から雌部材８だけを９０°回動させると、内爪部２１は雄部材７の首部１５のまわりを１／４周して雄部材７におけるストレートな外面に当接することになる。
【００２４】
そのため、上記係合は解除され、これら雄部材７と雌部材８とはその軸方向において係合する部分が何もない状態となるので、相互に軸方向へ離反させようとすれば簡単に離反させることができる。
図７及び図８に示すように、本第１実施形態において、上記雄部材７はプレート５に対して一体的に設けられたものとしてある。
この雄部材７を具備するプレート５としては、小判側の平板状をしたものを例示しており、ドアハンドル３のハンドル基部４０やハンドル軸４１等（図１参照）を通す第１逃げ孔４２と、ドアロック装置のロック軸（いずれも図示略）を通す第２逃げ孔４３とが設けられている。
【００２５】
また、被取付ボード２に対する回り止め作用や位置決め作用を生じさせるために、被取付ボード２に設ける嵌合孔４４へ嵌め付ける嵌合突起４５が設けられている。
これに対し、図９及び図１０に示すように、上記雌部材８はプレート６に対して別体であり、従ってこのプレート６には、雌部材８を取り付けるための装着孔２８が設けられている。
この装着孔２８は、雌部材８の回動操作部２２を回動自在に収容した状態で、この回動操作部２２を軸方向移動自在に保持する大径孔部５０と、雌部材８の回動支持部３０を回動自在で軸移動自在に保持する小径孔部５１とを有した段付き孔となっている。
【００２６】
大径孔部５０は、雌部材８の回動支持部３０に外挿されるコイルバネ等のバネ５２（図２にのみ示す）をも収容して、このバネ５２が軸方向に伸縮し得るだけの深さ寸法を含んでいる。
このようなことから、雌部材８は雄部材７へ向けて進退自在であって、雄部材７と係合状態とされない限りは、バネ５２によって雄部材７から遠ざかる方向へ向けてバネ付勢されていることになる。
なお、この雌部材８を具備するプレート６も、小判側の平板状をしており、ドアハンドル３のハンドル基部４０やハンドル軸４１等（図１参照）を通す第１逃げ孔５５と、ドアロック装置のロック軸（いずれも図示略）を通す第２逃げ孔５６と、被取付ボード２の嵌合孔４４へ嵌め付ける嵌合突起５７とが設けられている。
【００２７】
また勿論、これら両プレート５，６が被取付ボード２を挟んで対称配置で取り付けられる状態下にあって、雄部材７と雌部材８とは、互いに対向し合う位置付けになっている。
このような組プレート取付装置１の取付相手となる被取付ボード２は、雄部材７と雌部材８との結合部に対応する貫通孔６０、両プレート５，６の第１逃げ孔４２，５５に対応する第１孔６１（ドアハンドル３のハンドル基部４０やハンドル軸４１等を通す）、両プレート５，６の第２孔４３，５６に対応する第２逃げ孔６２（ドアロック装置のロック軸を通す孔）、両プレート５，６の嵌合突起５７を嵌め付け可能にする嵌合孔４４が設けられたものとなっており、これら各孔と所定位置関係で適宜錠装置（図示略）が組み込まれたものとなっている。
【００２８】
以上の説明から明らかなように、本発明に係る組プレート取付装置１では、雄部材７を具備する方のプレート５と、雌部材８を具備する方のプレート６とを、被取付ボード２を中央に挟んだ状態で、相互接近方向へ押し込むようにするだけで、これら雄部材７と雌部材８との係合によって互いに結合できるものであり、勿論、被取付ボード２に対する取り付け及び固定も完了できるものである。
また、被取付ボード２から各プレート５，６を取り外す必要が生じた場合には、雌部材８の回動操作部３１へマイナスドライバ等の工具や硬貨等を差し込んで回動させるようにするだけで、上記雄部材７と雌部材８との係合を解除して離反できる。
【００２９】
すなわち、これによって被取付ボード２からプレート５，６を外すことができるものである。
また、経年変化として被取付ボード２に肉厚方向の膨張や収縮が起こったとしても、雌部材８がバネ５２によって軸方向に付勢されていることから、これら雄部材７と雌部材８との係合状態に何ら無理な力やガタツキは生じないことになる。
従って、被取付ボード２に対する各プレート５，６の取付状態にガタが発生したり、クラックが発生したりすることもなくなる。
【００３０】
なお、図示は省略したが、各プレート５，６には、これらを覆うように化粧用カバーを取り付ければよい。また、場合によっては、これらプレート５，６自体を、外観に耐えうるように審美的に形成しておけばよい。
図１１は、本発明に係る組プレート取付装置１の第２実施形態を示している。
この第２実施形態が上記した第１実施形態と異なるところは、雌部材８がプレート５に対して一体的に設けられ、これに対して雄部材７の方がプレート６に対して回動自在であると共に、バネ５２によって軸方向にバネ付勢されている点にある。
【００３１】
そして、これに伴って、雄部材７の基端部にはその本体軸部１２よりも一回り径大な回動操作部２２が設けられている。
なお、本第２実施形態で採用するプレート５，６のうち一方（６）を図１２に例示しているように、これらプレート５，６の外形状として長方形状に形成することも可能であり、またドアロック装置の装着を想定しない（第１実施形態で示した第２逃げ孔４３，５６に相当するものが無い）構造にすることも可能である。
【００３２】
図１３及び図１４は、本発明に係る組プレート取付装置１の第３実施形態を示している。
この第３実施形態も、上記した第２実施形態（図１１参照）と同様に、雌部材８がプレート５に対して一体的に設けられ、これに対して雄部材７の方がプレート６に対して回動自在であると共に、バネ５２によって軸方向にバネ付勢されているものである。また、雄部材７の基端部に回動操作部５６が設けられている。
この第３実施形態が上記第２実施形態と異なるところは、雄部材７において、その外爪部１３が、軸方向に複数設けられている点にある。
【００３３】
従って、雄部材７と雌部材８とを相互に係合させる場合にあって、その軸方向の係合量を適宜調節可能になっている。
なお、雌部材８の本体軸部２０は、図１４に示すような雄部材７の押し込みを想定しているため、雄部材７を挿通可能な中空軸として形成されている。
この場合、雄部材７において、軸方向に設ける外爪部１３の個数は特に限定されるものではない。
また、図示は省略するが、雌部材８において、その内爪部２１を軸方向に複数設けることも可能であるし、雄部材７の外爪部１３及び雌部材８の内爪部２１の双方を軸方向に複数設けることも可能である。
【００３４】
ところで、本発明は、上記した各実施形態に限定されるものではなく、実施の形態に応じて適宜変更可能である。
例えば、雄部材７や雌部材８の材質は何ら限定されるものではなく、樹脂製や金属製等とすることができる。
また、上記各実施形態では、雄部材７又は雌部材８のうち一方をプレート５，６と一体形成する旨、説明したが、別部材として形成したうえで後付けするものであってもよい。
【００３５】
プレート５の上下両側へ雄部材７を、またプレート６の上下両側へ雌部材８を、それぞれ設けるようにしてもよい。
なお、被取付ボード２については、その構造や大きさ、材質、用途等に関して、何ら限定されるものではない。従って、被取付ボード２がドアであるか否かについても、限定されるものではない。
【００３６】
【発明の効果】
以上の説明から明らかなように、本発明に係る組プレート取付装置では、一方のプレートに設けられる雄部材と、他方のプレートに設けられる雌部材とを相互接近方向へ押し込むだけで互いに係合でき、またこの係合状態から一方の部材を回動させるだけで上記係合を解除して離反できるので、被取付ボードに対する着脱が極めて簡単且つ迅速に可能に行える。
また、少なくとも一方の部材を相手側部材から遠ざかる方向へバネ付勢すれば、被取付ボードが肉厚方向において膨張や収縮を起こしてもこれに柔軟に追従でき、プレートの取付状態にガタが発生したり、クラックが発生したりすることはなくなる。
【００３７】
また、取付ボードの肉厚寸法に対してある程度の汎用性を持たせることができる。
【図面の簡単な説明】
【図１】  本発明に係る組プレート取付装置の第１実施形態を示す分解斜視図である。
【図２】  第１実施形態の組プレート取付装置における組み立て状態を示す一部破砕平面図である。
【図３】  第１実施形態で採用された雄部材を示した平面図である。
【図４】  図３に対応する側面図である。
【図５】  第１実施形態で採用された雌部材を示した平面図である。
【図６】  図５に対応する側面図である。
【図７】  第１実施形態で採用された雄部材側のプレートを図１のＡ−Ａ線矢視方向で示した裏面図（図中左方が図１の上方）である。
【図８】  図７のＢ−Ｂ線矢視図である。
【図９】  第１実施形態で採用された雌部材側のプレートを図１のＣ−Ｃ線矢視方向で示した裏面図（図中左方が図１の上方）である。
【図１０】  図９のＤ−Ｄ線矢視図である。
【図１１】  本発明に係る組プレート取付装置の第２実施形態についてその組み立て状態を示す一部破砕平面図である。
【図１２】  第２実施形態で採用された雄部材側のプレートを図１のＥ−Ｅ線矢視方向で示した裏面図（図中左方が使用状態の上方）である。
【図１３】  本発明に係る組プレート取付装置の第３実施形態についてその組み立て状態を示す一部破砕平面図である。
【図１４】  第３実施形態において図１３に比べて雄部材と雌部材との係合量を深くさせた状態を示した一部破砕平面図である。
【符号の説明】
１    組プレート取付装置
２    被取付ボード
３    ドアハンドル
５    プレート
６    プレート
７    雄部材
８    雌部材
１２    雄部材の本体軸部
１３    外爪部
２０    雌部材の本体軸部
２１    内爪部
【図１】
0003916123.tif 000002
【図２】
0003916123.tif 000003
【図３】
0003916123.tif 000004
【図４】
0003916123.tif 000005
【図５】
0003916123.tif 000006
【図６】
0003916123.tif 000007
【図７】
0003916123.tif 000008
【図８】
0003916123.tif 000009
【図９】
0003916123.tif 000010
【図１０】
0003916123.tif 000011
【図１１】
0003916123.tif 000012
【図１２】
0003916123.tif 000013
【図１３】
0003916123.tif 000014
【図１４】
0003916123.tif 000015